(57)【特許請求の範囲】
【請求項１】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御部は、前記各種空調モードの乾燥モードが終了してから所定時間経過後に、前記常時換気モードを開始すべく制御してなることを特徴とする浴室乾燥装置。
【請求項２】
前記制御部は、前記常時換気モード時に前記乾燥モードになるときは、前記常時換気モードを中断し、前記乾燥モードが終了してから所定時間経過後に再度前記常時換気モードを開始すべく制御してなることを特徴とする請求項１記載の浴室乾燥装置。
【請求項３】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、暖房等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御手段は、前記各種空調モードの暖房モードが終了してから所定時間経過後に、前記常時換気モードを開始すべく制御してなることを特徴とする浴室乾燥装置。
【請求項４】
前記制御手段は、前記常時換気モード時に前記暖房モードになるときは、前記常時換気モードを中断し、前記暖房モードが終了してから所定時間経過後に再度前記常時換気モードを開始すべく制御してなることを特徴とする請求項３記載の浴室乾燥装置。
【請求項５】
前記所定時間の設定を変更する設定変更手段を備えてなることを特徴とする請求項１乃至４記載の浴室乾燥装置。
【請求項６】
前記制御部に指令信号を送信する操作装置を備え、前記設定変更手段は、前記操作装置に設けてなることを特徴とする請求項５記載の浴室乾燥装置。
【請求項７】
前記設定変更手段は、前記操作装置に設けられた少なくとも２つのスイッチを同時に押すことにより前記所定時間を変更可能な状態にしてなることを特徴とする請求項６記載の浴室乾燥装置。
【請求項８】
前記設定変更手段は、前記操作装置に設けられた少なくとも２つのスイッチを同時に所定時間継続して押すことにより前記所定時間を変更可能な状態にしてなることを特徴とする請求項６記載の浴室乾燥装置。
【請求項９】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥、暖房等の運転を行う各種空調モードと、該各種空調モードの換気モードとは別個に断続的又は連続的に換気運転を行う常時換気モードと、前記各種空調モードの乾燥モード又は暖房モードの終了後の前記浴室内の温度変化を検出する温度変化検出手段と、前記各種空調モード及び前記常時換気モードによる運転を制御する制御部とを備え、前記制御部は、前記乾燥モード又は暖房モードが終了してから前記温度変化検出手段による温度変化が所定温度になったときに、前記常時換気モードを開始すべく制御してなることを特徴とする浴室乾燥装置。
【請求項１０】
前記制御部は、前記常時換気モード時に前記乾燥モード又は暖房モードになるときは、前記常時換気モードを中断し、前記乾燥モード又は暖房モードが終了してから前記温度変化検出手段による温度変化が所定温度になったときに、再度前記常時換気モードを開始すべく制御してなることを特徴とする請求項９記載の浴室乾燥装置。
【請求項１１】
前記常時換気モードが開始されたことを報知する報知手段を備えてなることを特徴とする請求項１乃至１０記載の浴室乾燥装置。
【請求項１２】
前記報知手段は、音により報知してなることを特徴とする請求項１１記載の浴室乾燥装置。
【請求項１３】
浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、暖房等の運転を行う各種空調モードと、該各種空調モードの換気モードとは別個に断続的又は連続的に換気運転を行う常時換気モードと、浴室内の人体を検出する人体検出手段と、前記各種空調モード及び前記常時換気モードによる運転を制御する制御部とを備え、前記制御手段は、前記各種空調モードの暖房モードが終了してから前記人体検出手段による人体を検出しなくなると、前記常時換気モードを開始すべく制御してなることを特徴とする浴室乾燥装置。
【請求項１４】
前記制御手段は、前記常時換気モード時に前記暖房モードになるときは、前記常時換気モードを中断し、前記暖房モードが終了してから前記人体検出手段による人体を検出しなくなると、再度前記常時換気モードを開始すべく制御してなることを特徴とする請求項１３記載の浴室乾燥装置。
【発明の詳細な説明】
【０００１】
【発明の属する技術分野】
本発明は、主に浴室の換気、暖房、乾燥等を行う浴室乾燥装置に関する。
【０００２】
【従来の技術】
従来、この種の浴室空調装置として、例えば、特開平１１−１４１１０号公報に開示されたものが知られている。
【０００３】
このものは、浴室内の空気を排気ダクトを通じて屋外に排出する換気用ファンと、浴室内の空気を循環させる循環用ファンと、この循環空気を加熱するヒータとを備えて、各機器を選択的に駆動して換気、乾燥等の各種空調モードでの運転を行うとともに、各種空調モードの換気モードとは別個に、断続的または連続的に換気運転を行う第２換気モードを備えて、第２換気モード時に各種空調モードになるときは、第２換気モードを中断し、各種空調モードが終了した後に、再度第２換気モードを開始するようにしている。
【０００４】
【発明が解決しようとする課題】
しかしながら、上記従来の構成では、浴室内に干した衣類の乾燥を行う乾燥モードが終了した後に第２換気モードを再開すると、折角温かく乾燥された衣類が換気運転を行うことにより熱を奪われて冷たくなり、特に冬場などに乾燥された衣類をすぐに着る場合に、使用者にとって不快な思いをするという問題がある。
【０００５】
また、浴室内の暖房を行う暖房モードが終了した後に第２換気モードを再開すると、まだ入浴中の使用者がいる場合に換気運転が行われることで寒く感じて、上記と同様に、使用者にとって不快な思いをするという問題がある。
【０００６】
本発明は、上記問題点を解決するためになされたもので、本発明の目的は、常時換気モードによる運転を開始する際に、使用者に不快感を与えることのない浴室乾燥装置を提供することにある。
【０００７】
【課題を解決するための手段及びその作用・効果】
本発明は、上記目的を達成するために、浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御部は、前記各種空調モードの乾燥モードが終了してから所定時間経過後に、前記常時換気モードを開始すべく制御してなることを特徴としている。
【０００８】
従って、この構成によれば、衣類等の洗濯物を乾燥させる乾燥モードが終了してから所定時間は衣類が温かな状態を保っているので、この間に衣類を着れば、従来のように冷たくなった衣類を着て不快な思いをすることがなく、使用者は心地よく衣類を着用することができる。
【０００９】
また、本発明の好ましい実施形態として、前記制御部は、前記常時換気モード時に前記乾燥モードになるときは、前記常時換気モードを中断し、前記乾燥モードが終了してから所定時間経過後に再度前記常時換気モードを開始すべく制御すれば、上記した効果に加えて、衣類の乾燥運転が行われているときは換気運転を行わないので、乾燥効率を損なうことがなく、使用勝手が向上する。
【００１０】
また、本発明の第２の側面に従う実施形態として、浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、暖房等の運転を行う各種空調モードと、該各種空調モードの換気モードとは別個に断続的又は連続的に換気運転を行う常時換気モードと、前記各種空調モード及び前記常時換気モードによる運転を制御する制御部とを備え、前記制御手段は、前記各種空調モードの暖房モードが終了してから所定時間経過後に、前記常時換気モードを開始すべく制御している。
【００１１】
この構成によれば、浴室の暖房運転を行う暖房モードが終了してから所定時間は浴室内が暖かい状態を保っているので、例えば、設定された暖房運転時間が短くて浴室に入浴者がいる場合に、従来のように換気運転が行われて使用者が寒い思いをすることがなく、使用勝手が向上する。
【００１２】
また、本発明の第２の側面に従う好適な実施形態として、前記制御手段は、前記常時換気モード時に前記暖房モードになるときは、前記常時換気モードを中断し、前記暖房モードが終了してから所定時間経過後に再度前記常時換気モードを開始すべく制御すれば、上記した効果に加えて、浴室の暖房運転が行われているときは換気運転を行わないので、暖房効率を損なうことがなく、使用勝手が更に向上する。
【００１３】
また、前記所定時間の設定を変更する設定変更手段を備えるようにすれば、使用者の要望に応じて常時換気運転を行うまでの時間の設定をすることができ、更に使用勝手性を向上させることができる。
【００１４】
更に、前記制御部に指令信号を送信する操作装置を備え、前記設定変更手段を、前記操作装置に設ければ、別途に所定時間の設定を変更するための端末装置等を用意する必要がなく、容易に所定時間の設定を変更することができる。
【００１５】
更にまた、前記設定変更手段は、前記操作装置に設けられた少なくとも２つのスイッチを同時に押すことにより前記所定時間を変更可能な状態にしたり、少なくとも２つのスイッチを同時に所定時間継続して押すことにより前記所定時間を変更可能な状態にするようにすれば、簡単な操作で容易に所定時間の設定を変更することが可能になる。
【００１６】
また、浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、乾燥、暖房等の運転を行う各種空調モードと、該各種空調モードの換気モードとは別個に断続的又は連続的に換気運転を行う常時換気モードと、前記各種空調モードの乾燥モード又は暖房モードの終了後の前記浴室内の温度変化を検出する温度変化検出手段と、前記各種空調モード及び前記常時換気モードによる運転を制御する制御部とを備え、前記制御部は、前記乾燥モード又は暖房モードが終了してから前記温度変化検出手段による温度変化が所定温度になったときに、前記常時換気モードを開始すべく制御すれば、衣類の乾燥運転が終了した場合は、衣類が温かな状態を確実に保っている間は換気運転を行わないので、この間に衣類を着れば、従来のように冷たくなった衣類を着て不快な思いをすることがなく、使用者は心地よく衣類を着用することができ、また、浴室の暖房運転が終了した場合は、浴室内が寒くならないうちに入浴者が浴室から出ることが可能になり、使用勝手が向上する。
【００１７】
更に、前記制御部は、前記常時換気モード時に前記乾燥モード又は暖房モードになるときは、前記常時換気モードを中断し、前記乾燥モード又は暖房モードが終了してから前記温度変化検出手段による温度変化が所定温度になったときに、再度前記常時換気モードを開始すべく制御すれば、上記した効果に加えて、衣類の乾燥運転又は浴室の暖房運転が行われているときは換気運転を行わないので、乾燥効率又は暖房効率を損なうことがなく、使用勝手が向上する。
【００１８】
また、前記常時換気モードが開始されたことを報知する報知手段を備えれば、使用者は換気運転が開始されたことを容易に認識することができるので、衣類の乾燥運転が終了した場合は、衣類が冷たくならないうちに浴室から取り除くことができ、また、浴室の暖房運転が終了した場合は、浴室内が冷えないうちに入浴者が浴室から出ることができ、更に使用勝手が向上する。
【００１９】
更に、前記報知手段を、ブザーや音声等の音により報知するようにすれば、使用者は換気運転が開始されたことを確実にに把握することができ、更に使用勝手が向上する。
【００２０】
また、浴室内の空気を排気ダクトを介して屋外に排気する浴室換気用送風機と、前記浴室内の空気を循環させる循環用送風機と、前記循環空気を加熱する加熱手段と、これら各機器を選択的に駆動して換気、暖房等の運転を行う各種空調モードと、該各種空調モードの換気モードとは別個に断続的又は連続的に換気運転を行う常時換気モードと、浴室内の人体を検出する人体検出手段と、前記各種空調モード及び前記常時換気モードによる運転を制御する制御部とを備え、前記制御手段は、前記各種空調モードの暖房モードが終了してから前記人体検出手段による人体を検出しなくなると、前記常時換気モードを開始すべく制御すれば、浴室から入浴者がいなくなってから換気運転が行われるので、従来のように換気運転が行われて使用者が寒い思いをすることが全くなく、更に使用勝手が向上する。
【００２１】
更に、前記制御手段は、前記常時換気モード時に前記暖房モードになるときは、前記常時換気モードを中断し、前記暖房モードが終了してから前記人体検出手段による人体を検出しなくなると、再度前記常時換気モードを開始すべく制御すれば、上記した効果に加えて、浴室の暖房運転が行われているときは換気運転を行わないので、暖房効率を損なうことがなく、使用勝手が更に向上する。
【００２２】
【発明の実施の形態】
以下に、本発明の実施の形態を添付図面により詳細に説明する。
【００２３】
図１は、本発明の一実施形態に係る換気装置の設置例を示す平面図であり、図２は、本発明の換気装置の一実施形態を示す断面図である。
【００２４】
図１に示すように、浴室乾燥装置は、浴室Ａの天井１０裏に設置されており、装置本体１の側面に設けた第１吸気口８が、トイレＣの天井にトイレＣ内を臨むように開口して設けられたトイレ用吸込口１７と吸気ダクト２４を介して接続されている。同様に、本体１の側面に設けた第３吸気口２３が、洗面所Ｂの天井に洗面所Ｂ内を臨むように開口して設けられた洗面所用吸込口１５と吸気ダクト２５を介して接続されている。
【００２５】
また、本体１の他側面に設けた第１排気口３１が、屋外に連通する排気ダクト４０に接続されおり、更に、洗面所Ｂ内及びトイレＣ外の適所には、浴室Ａ、洗面所Ｂ、トイレＣの換気運転のオン・オフ等を制御する遠隔操作部（以下リモコンという）４１、４３が備えられ、信号線４５、４７により本体１の後述する制御部７０に接続されている。
【００２６】
図２に示すように、本体１は天井１０の開口２０を介して設けられており、その下部には浴室Ａ内に臨んで化粧パネル１１が設けられている。また、本体１内部には、その上部に、第１吸気口８から第１排気口３１に至る第１の排気風路１８が形成されており、第１送風ファン１２と第１モータ２とからなるトイレ換気用送風機３が備えられている。また、第１の排気風路１８の第１排気口３１近傍には、第１の排気風路１８を開閉する開閉手段であるシャッター６０が設けられている。
【００２７】
更に、本体１内部には、その下部に、第３吸気口２３及び化粧パネル１１に開口した第２吸気口９から第１排気口３１に至る第２の排気風路１９が形成されており、第２の排気風路１９には、第２送風ファン１３と第２モータ４とからなる浴室換気用送風機５が備えられている。
【００２８】
また、第２の排気風路１９とは別に、化粧パネル１１に開口した第４吸気口２１から化粧パネル１１に開口した吹出し口５１に至る循環風路２２を形成しており、循環風路２２には、第３送風ファン１４と第３モータ６とからなる循環用送風機７及び吹出し口５１近傍に加熱手段であるヒーター５０を配設している。
【００２９】
尚、図３に示すように、第１排気口３１とは別の本体１側面に、第２排気口３２を設けて、第１、第２排気口３１、３２のいずれかを選択して排気ダクト４０と接続するようにしてもよく（使用しない排気口は塞ぎ部材等により蓋をする）、このように構成すれば、設置現場のレイアウトに応じた配管工事が可能になり、配管施工を簡単に行うことができる。また、第１吸気口８の他に、本体１側面に第１の排気風路１８に連通する第７吸気口２８を設けたり、第３吸気口２３の他に、本体１側面に第２の排気風路１９に連通する第５吸気口２６、第６吸気口２７を設けて、設置現場のレイアウトに応じて、例えば、第７吸気口２８には吸気ダクト２４を、第５吸気口２６には吸気ダクト２５を接続するようにしてもよく（使用しない吸気口は塞ぎ部材等により蓋をする）、このようにすれば、配管施工を簡単に行うことができる。または、第１吸気口８に吸気ダクト２４を接続するとともに第７吸気口２８にトイレＣ以外の部屋に連通した吸気ダクトに接続したり、第３吸気口２３に吸気ダクト２５を接続するとともに第５吸気口２６、第６吸気口２７に洗面所Ｂ以外の部屋に連通した吸気ダクトに接続して、居室全体を換気するようにしてもよい。
【００３０】
図４は、洗面所Ｂ内の適所に設けられたリモコン４１を示す正面図、図５は、駆動回路を示すブロック図である。
【００３１】
図４に示すように、リモコン４１は、停止スイッチ３３、換気運転スイッチ３４、暖房運転スイッチ３５、乾燥運転スイッチ３６、涼風運転スイッチ３７、タイマ設定スイッチ３８、常時換気運転スイッチ３９、報知手段としての音声発生部５２を有している。タイマ設定スイッチ３８は運転時間（ｈ）や運転開始時間（ｈ）を設定するもので、「０．５」「１」「２」…「９」と順次設定できるようになっている。また、常時換気運転スイッチ３９はトイレ換気用送風機３と浴室換気用送風機５の駆動を操作するものである。
【００３２】
また、図５に示すように、リモコン４１の各スイッチ３３、３４、３５、３６、３７、３８、３９や適宜個所に設けられて浴室Ａ内の温度変化を検出する温度変化検出手段５３、浴室Ａ内の人体を検出する人体検出手段５４から入力される信号に基づいて、制御部７０のＣＰＵ７１は浴室換気用送風機駆動回路７２、循環用送風機駆動回路７３、ヒーター駆動回路７４、トイレ換気用送風機駆動回路７５、音声発生回路７６を通じて、浴室換気用送風機５、循環用送風機７、ヒーター５０、トイレ換気用送風機３、音声発生部５２に出力される。
【００３３】
以上の構成において、浴室乾燥装置の動作を以下に詳述する。
【００３４】
リモコン４１の常時換気運転スイッチ３９をオン操作すると、トイレ換気用送風機３と浴室換気用送風機５が駆動してその第１、第２送風ファン１２、１３により、トイレＣ内の空気がトイレ用吸込口１７から吸気ダクト２４を介して第１吸気口８より吸い込まれ、第１の排気風路１８を通って第１排気口３１から排気ダクト４０を介して屋外に排気されるとともに、浴室Ａ及び洗面所Ｂ内の空気が、化粧パネル１１に開口した第２吸気口９及び洗面所用吸込口１５から吸気ダクト２５を介して第３吸気口２３より吸い込まれ、第２の排気風路１９を通って第１排気口３１から排気ダクト４０を介して屋外に排気されて、トイレＣ、浴室Ａ、洗面所Ｂが連続的に換気される（常時換気モード）。この時、シャッター６０は、第１送風ファン１２から吹き出される空気の風圧により開くが、屋外からの外圧に対しては閉じるように構成されており、トイレＣ内への逆流を防止するようになっている。また、何らかの要因で浴室Ａ側よりトイレＣ側が負圧になっても、浴室Ａ内の湿気を含んだ空気がトイレＣ内へ逆流するのを防止することができる。
【００３５】
尚、常時換気モードによる連続的換気運転に限らず、断続的に換気を行うようにしてもよい。即ち、リモコン４１のタイマ設定スイッチ３８により、例えば、表示部３８ｄに「２：０」を設定すると、オン時間２０分・オフ時間２０分を１サイクルとして、また、「３：０」を設定すると、オン時間２０分・オフ時間３０分を１サイクルとして断続的に換気運転が行われる。
【００３６】
また、リモコン４１の換気運転スイッチ３４をオン操作すると、浴室換気用送風機５が駆動してその第２送風ファン１３により、浴室Ａ及び洗面所Ｂ内の空気が、化粧パネル１１に開口した第２吸気口９及び洗面所用吸込口１５から吸気ダクト２５を介して第３吸気口２３より吸い込まれ、第２の排気風路１９を通って第１排気口３１から排気ダクト４０を介して屋外に排気される（換気モード）。
【００３７】
尚、第２吸気口９を開閉する開閉手段としてのモータ等により駆動するダンパー等（図示せず）を設け、且つ、リモコン４１に浴室換気スイッチ（図示せず）、洗面所換気スイッチ（図示せず）を設けて、浴室換気スイッチをオン操作すると、ダンパーが開いて、上述したと同様に浴室Ａ及び洗面所Ｂの換気がなされるが、洗面所換気スイッチをオン操作すると、ダンパーが閉じて、洗面所Ｂのみの単独換気を行うことができる。また、第２吸気口９を開閉するダンパーを設けずに、第３吸気口２３を開閉する開閉手段としてのモータ等により駆動するダンパー等（図示せず）を設けるようにしてもよく、このようにすれば、洗面所換気スイッチをオン操作すると、ダンパーが開いて、浴室Ａ及び洗面所Ｂの換気がなされるが、浴室換気スイッチをオン操作すると、ダンパーが閉じて、浴室Ａのみの単独換気を行うことができる。更に、第２吸気口９と第３吸気口２３とにそれぞれダンパー等を設けるようにしてもよく、このようにすれば、洗面所換気スイッチをオン操作すると、第２吸気口９に設けたダンパーが閉じるとともに第３吸気口２３に設けたダンパーが開いて、洗面所Ｂのみの単独換気が行え、浴室換気スイッチをオン操作すると、第３吸気口２３に設けたダンパーが閉じるとともに第２吸気口９に設けたダンパーが開いて、浴室Ａのみの単独換気を行うことができる。更にまた、換気運転スイッチ３４をオン操作すると、第２吸気口９及び第３吸気口２３に設けたダンパーが共に開き、浴室Ａ及び洗面所Ｂの同時換気を行うようにすることもできる。
【００３８】
また、リモコン４１の涼風運転スイッチ３７をオン操作すると、循環用送風機７が駆動してその第３送風ファン１４により、浴室Ａ内の空気が化粧パネル１１に開口した第４吸気口２１から吸い込まれて、化粧パネル１１に開口した吹出し口５１から浴室Ａ内に吹き出される（涼風モード）。この時、ヒーター５０には通電されていないので、涼風が浴室Ａ内に吹き出されることになる。
【００３９】
更に、リモコン４１の暖房運転スイッチ３５をオン操作すると、循環用送風機７が駆動してその第３送風ファン１４により、浴室Ａ内の空気が化粧パネル１１に開口した第４吸気口２１から吸い込まれて、化粧パネル１１に開口した吹出し口５１から浴室Ａ内に吹き出される（暖房モード）。この時、ヒーター５０は通電されているので、ヒーター５０により熱交換された空気が温風となって浴室Ａ内に吹き出され、浴室Ａが暖房されることになる。
【００４０】
また、リモコン４１の乾燥運転スイッチ３６をオン操作すると、浴室換気用送風機５、循環用送風機７が駆動してその第２、３送風ファン１３、１４により、浴室Ａ内の空気の一部が第２吸気口９から吸い込まれ、第２の排気風路１９を通って第１排気口３１から排気ダクト４０を介して屋外に排気されるとともに、浴室Ａ内の空気の一部が第４吸気口２１から吸い込まれて、ヒーター５０により温風となって浴室Ａ内に吹き出され、浴室Ａ内に干された衣類等の乾燥が行われることになる（乾燥モード）。
【００４１】
図６は、常時換気モードと乾燥モード又は暖房モードの動作タイミングを示すタイミングチャートである。
【００４２】
図６に示すように、常時換気運転スイッチ３９がオン操作されて（ｔ１）常時換気モードによる運転が行われているときに、乾燥運転スイッチ３６又は暖房運転スイッチ３５がオン操作されるか、またはタイマ設定スイッチ３８の操作により乾燥モード又は暖房モードによる運転が開始されると、常時換気モードによる運転を中断し（ｔ２）、停止スイッチ３３が操作されるか又は設定されたタイマーが終了して乾燥運転又は暖房運転が停止すると（ｔ３）、その停止から所定時間（ｔ４ーｔ３）経過後（例えば、２０分後）に常時換気モードによる運転を開始するように制御している。
【００４３】
従って、乾燥モードが終了してから所定時間経過後に常時換気モードによる運転を行う場合であれば、その所定時間は衣類が温かな状態を保っているので、この間に衣類を着れば、従来のように冷たくなった衣類を着て不快な思いをすることがなく、使用者は心地よく衣類を着用することができる。また、暖房モードが終了してから所定時間経過後に常時換気モードによる運転を行う場合であれば、その所定時間は浴室Ａ内が暖かい状態を保っているので、例えば、設定された暖房運転時間が短くて浴室Ａに入浴者がいる場合に、従来のように換気運転が行われて使用者が寒い思いをすることがなく、使用勝手が向上する。
【００４４】
尚、所定時間の設定は任意の時間に設定変更できるようになっており、その変更手順を以下に説明する。
【００４５】
まず、リモコン４１のタイマ設定スイッチ３８のマイナススイッチ３８ａを押してから、予約／確定スイッチ３８ｃを連続して所定時間（例えば３秒間）同時押しして設定値変更モードにする。次に、乾燥運転スイッチ３６を押すと、表示部３８ｄに「１：２０」が表示される。「１」は乾燥モード又は暖房モードの運転が終了してから常時換気モードによる運転が開始するまでの所定時間の変更を表わす数字であり、「２０」は予め設定されている所定時間の設定値を表わす数字である。即ち、所定時間の設定値は２０分であることを示している。そして、所定時間を多くしたいときは、プラススイッチ３８ｂを１回押す毎に「２５」→「３０」→「３５」と切り替わり、逆に所定時間を少なくしたいときは、マイナススイッチ３８ａを１回押す毎に「１５」→「１０」→「５」と切り替わるので、使用者の要望に応じて適宜所定時間の変更を行うことができる。尚、設定値変更モードへの移行は、上記に限らず、プラススイッチ３８ｂを押してから、予約／確定スイッチ３８ｃを連続して所定時間同時押ししたり、または乾燥運転スイッチ３６とマイナススイッチ３８ａを同時押しするようにしてもよく、任意である。
【００４６】
また、乾燥運転又は暖房運転が停止してから所定時間経過後に常時換気モードによる運転を開始するようにしたが、これに限らず、適宜個所に設けられた温度変化検出手段５３により乾燥運転又は暖房運転が停止したときの浴室Ａ内の温度から例えば２°Ｃ温度が下がったときに常時換気モードによる運転を開始するようにしてもよい。このように制御すれば、衣類が温かな状態を確実に保っている間は換気運転を行わないので、この間に衣類を着れば、従来のように冷たくなった衣類を着て不快な思いをすることがなく、使用者は心地よく衣類を着用することができ、また、浴室Ａの暖房運転が終了した場合は、浴室Ａ内が寒くならないうちに入浴者が浴室から出ることが可能になり、使用勝手が向上する。
【００４７】
更に、上述したように、乾燥運転又は暖房運転が停止してから所定時間経過後又は温度変化検出手段５３による温度変化が所定温度になったときに常時換気モードによる運転を開始する場合に、その常時換気モードによる運転が開始されたことを音声発生部５２により報知するようにしてもよい。
【００４８】
また、暖房運転が停止してから人体検出手段５４により浴室Ａ内の人体を検出しなくなると常時換気モードによる運転を開始するようにしてもよく、このように制御すれば、浴室Ａから入浴者がいなくなってから換気運転が行われるので、従来のように換気運転が行われて使用者が寒い思いをすることが全くなく、更に使用勝手が向上する。
【００４９】
上述した内容はあくまで本発明の一実施形態に関するものであって、本発明が上記内容のみに限定されることを意味されるものではない。例えば、常時換気モードによる運転が開始されたことを音声により報知するようにしたが、これに限らず、ブザー音やランプの点滅等で報知するようにしてもよい。
【図面の簡単な説明】
【図１】本発明の一実施形態に係る浴室乾燥装置の設置例を示す平面図である。
【図２】本発明の浴室乾燥装置の一実施形態を示す断面図である。
【図３】本発明の浴室乾燥装置の一実施形態を示す平面図である。
【図４】本発明の浴室乾燥装置のリモコンを示す正面図である。
【図５】本発明の浴室乾燥装置の駆動回路を示すブロック図である。
【図６】本発明の浴室乾燥装置の運転動作を示すタイミングチャートである。
【符号の説明】
Ａ…浴室
Ｂ…洗面所
Ｃ…トイレ
３…トイレ換気用送風機
５…浴室換気用送風機
７…循環用送風機
３３…停止スイッチ
３４…換気運転スイッチ
３５…暖房運転スイッチ
３６…乾燥運転スイッチ
３７…涼風運転スイッチ
３８…タイマ設定スイッチ
３９…常時換気運転スイッチ
４０…排気ダクト
４１、４３…リモコン
５０…ヒーター（加熱手段）
５２…音声発生部（報知手段）
５３…温度変化検出手段
５４…人体検出手段
７０…制御部
【図１】
0003567862.tif 000002
【図２】
0003567862.tif 000003
【図３】
0003567862.tif 000004
【図４】
0003567862.tif 000005
【図５】
0003567862.tif 000006
【図６】
0003567862.tif 000007